(57)【要約】【課題】使用者の様々な切断方法に対応できる切断刃形状を具備するラップフィルム用収納箱を提供すること。【解決手段】切断刃長手方向の中央部と両端部が、収納箱の底面側に突出するような切断刃形状としたので、ラップフィルムの切断が端から実施されても、または中央から実施されてもスムーズにラップフィルムを切断することができる。【選択図】図１
2010247873.tif 000002
【特許請求の範囲】
【請求項１】
柱状形の収納箱と収納箱の収納室に収納した巻回フィルムからなり、その巻回フィルムからラップフィルムの必要量を引き出し、引き出したフィルムを切断するための長尺状の非金属製切断刃を設けたラップフィルム用収納箱であって、前記収納室を覆う蓋体の先端部に取り付けられる切断刃は長手方向に中央部、両端部、それらに挟まれる中間部の５領域に区分され、中央部は中間部よりも底面側にＶ字型又は円弧型に突出しており、且つ、両端部は端に近づくほど底面側に突出している切断刃を具備したことを特徴とするラップフィルム用収納箱。
【請求項２】
前記切断刃の長手方向形状は左右対称形状であり、前記中央部の長手方向の長さは切断刃全長に対して各々３０〜４５％の範囲を占め、前記両端部合計の長手方向の長さは切断刃全長に対して各々２０〜３５％の範囲を占め、且つ、前記中央部と前記両端部に配された最も底面側に近い刃山と前記中間部に配された最も蓋面側に近い刃山との高さの差は、各々収納箱の高さの５〜１２％である切断刃を具備したことを特徴とする請求項１に記載のラップフィルム用収納箱。
【請求項３】
前記切断刃の前記中央部のＶ字型又は円弧型に突出している頂点部に配される刃山は他の刃山よりも大きい切断刃を具備したことを特徴とする請求項１または２のいずれかに記載のラップフィルム用収納箱。
【請求項４】
前記切断刃の前記両端部の刃山は端部に近づくほど大きな刃山となる切断刃であり、且つ、最端部の刃山の大きさは前記頂点部に配される刃山と同じ大きさ以下である切断刃を具備したことを特徴とする請求項１から３のいずれか１つに記載のラップフィルム用収納箱。
【発明の詳細な説明】
【技術分野】
【０００１】
本発明は、食品包装用のラップフィルム、アルミホイル等（以下、食品包装用のフィルム、ホイル等を、ラップフィルム、と称す）を巻回したラップフィルム用の収納箱に関する。特に、使用者のどのようなラップフィルムの切り方にも対応できる切断刃を具備したラップフィルム用の収納箱に関する。
【背景技術】
【０００２】
ラップフィルムは、通常、巻芯に巻回された巻筒体が、紙製の直方体の箱に収納されている。収納箱に収納されたラップフィルムは、使用時に必要量を引き出して、収納箱に取り付けられている切断刃によって切断される。従来からこの種の収納箱に関しては、切断性、切れ味の向上などが追求されてきた。
【０００３】
従来の収納箱に取り付けられた切断刃を用いてラップフィルムを切断する場合、その動作は多種多様である。中でも、切断刃が収納箱の蓋板から延出している掩蓋片の先端部に取り付けられた収納箱の場合は、概ね以下の３種類の動作に大別される。
【０００４】
以下に記述する（１）〜（３）の動作時、収納箱の蓋体は閉じられており、掩蓋片の中央部に収納箱の持ち手の親指が添えられ、他方の手は引き出したラップフィルム先端の中央部を持っているものとする。
【０００５】
（１）片手に収納箱を、他方の片手に引き出したラップフィルムを持ち、両手はほぼ水平関係を維持する。次に、収納箱を持つ片手はほぼ固定したままラップフィルムを上方に持ち上げ、切断刃とラップフィルムに角度を与えてラップフィルムの端部から順次切断する。
【０００６】
（２）片手に収納箱を、他方の片手に引き出したラップフィルムを持ち、両手はほぼ水平関係を維持する。次に、ラップフィルムを持つ片手はほぼ固定したまま収納箱を外側に開くように動作し、ラップフィルムの片端に張力を与えて端部から順次切断する。
【０００７】
（３）片手に収納箱を、他方の片手に引き出したラップフィルムを持ち、両手はほぼ水平関係を維持する。次に、ラップフィルムを持つ片手はほぼ固定したまま収納箱を持った手首を下方に回転させ（手首を捻る）、ラップフィルムを中央から両端部へ順次切断する。
【０００８】
ラップフィルムの切断時の抵抗に関しては、前記の（１）と（２）の切断方法の場合、切断刃が直線型又はアーチ型（蓋面方向に凸形状）のものが有利であり、前記（３）の切断方法の場合は切断刃がＶ字型（底面方向に凸形状）のものが有利である傾向がある。
【０００９】
ラップフィルムの切断性を向上させることを目的として、切断刃形状をＶ字型にする方法が開示されている（特許文献１）。それ以外にも、切断刃形状を逆Ｖ字型、若しくは逆Ｖ字型の頂点部に円弧を組み合わせる方法（特許文献２）、切断刃の両端部分を底面側に傾斜させる方法（特許文献３）、切断刃の中央部分のみにＶ字型を付与する方法（特許文献４）などが開示されている。
【先行技術文献】
【特許文献】
【００１０】
【特許文献１】特公平４−１９０９２号公報
【特許文献２】実公平６−２８９８号公報
【特許文献３】実公平７−２３３９１号公報
【特許文献４】特開平１０−１６９８６号公報
【発明の概要】
【発明が解決しようとする課題】
【００１１】
特許文献１で開示されているＶ字型切断部材の場合、前記（３）の切断方法で最初の応力がＶ字型切断部材の頂点部（中央部）に集中してラップフィルムを簡単に切断することができるが、前記（１）又は（２）の切断方法では、切断部材の端から中央の部分が底面側に向かって傾斜しているので、ラップフィルムに接触する切断部材の刃山数が多くなって応力分散が発生するため、ラップフィルムを端から切断するためには余計な力を必要とする問題がある。
【００１２】
特許文献２で開示されている逆Ｖ字型切断刃の場合、切断刃の端部が底面側に傾斜しているので、前記（１）と（２）の切断方法ではラップフィルムと接触する切断刃の刃山数が少なくなるため、切断時の応力集中がし易く切断開始はスムーズであるが、逆Ｖ字型頂点の変曲点でラップフィルムの切断される方向が急激に変わるので、切断途中に違和感を感じる問題がある。この問題は、逆Ｖ字型頂点部に円弧を組み合わせた切断刃でも同様に発生する。
【００１３】
特許文献３で開示されている切断部材の両端部分のみが底面側に傾斜している（アーチ型）切断部材の場合、傾斜開始部分の変曲点の変移が比較的小さいので、特許文献２で発生する問題は概ね回避されるが、前記（３）の切断方法だと切断初期に切断刃の傾斜部分に対応するラップフィルムの両端部分は切断されるが、残りの直線部分全体に応力が分散するため、ラップフィルムの切断を終了するためには大きな力を必要とする問題がある。
【００１４】
特許文献４で開示されている中央のみにＶ字型を付与した刃の場合、前記（３）の切断方法での切断開始時にはラップフィルムの中央部をスムーズに切断することが可能であるが、残りの刃の部分が直線型であるため応力の分散が発生し、ラップフィルムの切断を終了するためには大きな力を必要とする問題が発生する。
【００１５】
上記したように、従来技術で開示されている各種形状の切断刃は、使用者の好みによる様々な切断方法に十分に対応できていない問題がある。また、近年は環境意識や安全意識の向上に伴って切断刃が金属製から樹脂や紙などの非金属製に移行しつつあるが、この非金属製切断刃は基本的に金属製切断刃よりも剛性が劣るので、上記した問題はより顕著となる。
【００１６】
本発明は切断刃の全体形状を工夫し、使用者がいかなる切断方法を採ったとしても、スムーズにラップフィルムを切断できるような非金属製切断刃を具備するラップフィルム用収納箱を提供することを目的とする。
【課題を解決するための手段】
【００１７】
本発明者らは、上記課題を解決するため、切断刃の中央部と両端部を底面側に滑らかに突出させた切断刃形状とすることで、使用者の好みによる様々なラップフィルムの切断方法に対応できることを見出し、本発明を成すに至った。
【００１８】
即ち、本発明は以下の通りである。
【００１９】
１）柱状形の収納箱と収納箱の収納室に収納した巻回フィルムからなり、その巻回フィルムからラップフィルムの必要量を引き出し、引き出したフィルムを切断するための長尺状の非金属製切断刃を設けたラップフィルム用収納箱であって、前記収納室を覆う蓋体の先端部に取り付けられる切断刃は長手方向に中央部、両端部、それらに挟まれる中間部の５領域に区分され、中央部は中間部よりも底面側にＶ字型又は円弧型に突出しており、且つ、両端部は端に近づくほど底面側に突出している切断刃を具備したことを特徴とするラップフィルム用収納箱。
【００２０】
２）前記切断刃の長手方向形状は左右対称形状であり、前記中央部の長手方向の長さは切断刃全長に対して各々３０〜４５％の範囲を占め、前記両端部合計の長手方向の長さは切断刃全長に対して各々２０〜３５％の範囲を占め、且つ、前記中央部と前記両端部に配された最も底面側に近い刃山と前記中間部に配された最も蓋面側に近い刃山との高さの差は、各々収納箱の高さの５〜１２％である切断刃を具備したことを特徴とする１）に記載のラップフィルム用収納箱。
【００２１】
３）前記切断刃の前記中央部のＶ字型又は円弧型に突出している頂点部に配される刃山は他の刃山よりも大きい切断刃を具備したことを特徴とする１）または２）のいずれかに記載のラップフィルム用収納箱。
【００２２】
４）前記切断刃の前記両端部の刃山は端部に近づくほど大きな刃山となる切断刃であり、且つ、最端部の刃山の大きさは前記頂点部に配される刃山と同じ大きさ以下である切断刃を具備したことを特徴とする１）から３）のいずれか１つに記載のラップフィルム用収納箱。
【発明の効果】
【００２３】
本発明のラップフィルム用収納箱は、切断刃の中央部と両端部に底面側に滑らかに突出させた切断刃形状としたので、切断刃が非金属製であっても、使用者がラップフィルムの切断をラップフィルムの端から開始しても、或いは中央から開始しても切断の開始や途中でスムーズ感を損なうことなく、切断終了まで違和感無く動作することができる。
【図面の簡単な説明】
【００２４】
【図１】本発明のラップフィルム用収納箱の一例を示す正面図と、中央部と端部に配置した刃先の拡大図である。
【図２】従来の技術のラップフィルム用収納箱の正面図であり、（ａ）は直線型切断刃、（ｂ）はＶ字型切断刃、（ｃ）は逆Ｖ字型切断刃、（ｄ）は両端部分のみが底面側に傾斜している切断刃、（ｅ）は中央のみにＶ字型を付与した切断刃を具備している。
【発明を実施するための形態】
【００２５】
本発明について、好ましい実施態様を中心に説明する。
【００２６】
本発明のラップフィルム用収納箱に具備している切断刃５は、図１に示したように、長手方向に中央部、両端部、それらに挟まれる中間部の５領域に区分され、中央部は中間部よりも底面側４にＶ字型又は円弧型に突出しており、且つ、両端部は端に近づくほど底面側４に突出しており、全体的に滑らかな波型形状あるいは略Ｍ形状となっている。尚、図１と図２の正面図では、細かい刃先の表示は省略しており、各刃先の先端部を繋げた仮想ライン６を掩蓋片１の先端部として表示している。
【００２７】
前記中央部の長手方向の長さは切断刃５全長に対して３０〜４５％の範囲内であり、前記両端部合計の長手方向の長さは切断刃５全長に対して２０〜３５％の範囲内であることが好ましい。前記中央部と／または前記両端部合計の長手方向の長さが上記した範囲内にある場合は、切断刃全体を滑らかな波型に形成させることができ、ラップフィルムの切断をスムーズに実施することができる。
【００２８】
また、前記中央部の中央と前記両端部の端部に配された最も底面側４に近い刃山と前記中間部に配された最も蓋面側３に近い刃山との高低差は、各々収納箱の高さの５〜１２％であることが好ましい。５％以上であると切断刃を突出させた効果がより発揮され、１２％以下だと、切断刃５の高低差が適度で、変曲点でラップフィルムの切断方向が大きく変わることなく、切断抵抗が小さく、切断全体をスムーズに実施できる。
【００２９】
本発明のラップフィルム用収納箱でラップフィルムの切断を行った場合、前記（１）と（２）の切断方法では、切断が開始される切断刃５端部が底面側４に突出しているため、切断刃５が直線型やＶ字型である場合と比較して、ラップフィルムに接触する刃山数が減少して応力集中し易いので、カット開始をスムーズに実施することができ、全体が滑らかな波型であるため、各変曲点で発生する切断方向が変化することの抵抗もほとんど感じることなく、切断全体をスムーズに実施することができる。
【００３０】
また、前記（３）の切断方法では、突出した中央部の刃先でラップフィルムを切断すると同時に、突出した両端部でもラップフィルムの切断が開始されるので、切断開始ポイントが３箇所となり、開始点が１箇所だけである中央部のみにＶ字型を付与された切断刃の場合と比較して、切断全体をスムーズに実施することができる。
【００３１】
本発明のラップフィルム用収納箱において、切断の開始をよりスムーズに達成させるため、中央部では最も底面側４に突出している中央の刃山を他の刃山よりも大きくし、順次両隣の刃山を小さくさせてもよく、両端部では切断刃５の端部に近づくほど刃山を大きくしてもよい。このように刃山を大きくすることで刃山間のピッチも大きくなるので、切断開始時にラップフィルムと接触する刃山数が減少して応力集中し易くなる。また、前記（２）の切断方法では、その動作内容によってはラップフィルムが刃先に食い込む前に滑ったり、シワが入って食い込み難くなったりする場合があるが、刃山を大きくすることで滑りや食い込み性の悪化を防止することができる。
【００３２】
本発明のラップフィルム用収納箱に具備される切断刃５の刃先の形状は、使用する切断刃５の材質や剛性等の物理的性質、収納箱の中に収納するラップフィルムの素材や物性等によって適宜選択すればよいが、ラップフィルムへの食い込み性と折れ曲がりへの耐久性の観点から、中央部と両端部の最も大きな刃山の高さは０．７〜１．５ｍｍ程度、中間部の刃山高さは０．５〜１．０ｍｍ程度の範囲とすることが好ましい。この範囲内で、（中間部の刃先高さ）≦（最端部の最も大きな刃先高さ）≦（中央部の最も大きな刃先高さ）となるように設定することがより好ましい。また、同じ観点から、各刃先の先端角度は４０〜７５°の範囲から適宜選択することが好ましい。隣り合う各刃先間のピッチは１．０〜３．０ｍｍ程度の範囲が好ましく、刃山が低い場合は小さ目のピッチに、刃山が大きい場合は大き目のピッチに設定することがより好ましい。
【００３３】
本発明のラップフィルム用収納箱に具備される切断刃５は、非金属性であり、厚みは０．１５ｍｍ以上０．３０ｍｍ以下が好ましく、曲げこわさは、ＪＩＳ  Ｐ  ８１２５に規定される方法で０．５Ｎ・ｃｍ以上が好ましい。厚みが０．１５ｍｍ以上ではラップフィルム等の切断時に刃山が湾曲することなく切断能力が向上し、厚みが０．３０ｍｍ以下だと切断刃の厚み方向に応力が分散せずに切断能力が向上する。曲げこわさが０．５Ｎ・ｃｍ以上の場合は、ラップフィルム等の切断時に刃山が湾曲せずに切断能力が向上する。曲げこわさの上限値は特に限定しないが、高過ぎる場合は雄型と雌型を用いた金型での切断刃の打ち抜き加工時に刃こぼれ等を発生する場合があるので、採用する材質の性能等によって適宜最適な値を選定すればよい。概ね２．０Ｎ・ｃｍ以下が好ましい。
【００３４】
本発明のラップフィルム用収納箱に具備される非金属性切断刃を構成する材質には、プラスチック、紙等、公知の材料を用いればよく、特に限定しないが、曲げこわさと耐久性を考慮すると二軸延伸したプラスチックが好ましい。更に、収納箱の廃棄時のことを考慮すると、燃焼熱が比較的低く、ダイオキシン等の発生が無いポリエステル系プラスチック、例えば、ポリ乳酸やポリエチレンテレフタレートが好ましい。材質の強度を向上させるため、食品衛生性や金型による切断刃加工性等に影響が無い範囲で、プラスチックの場合は公知の強化剤（酸化チタン、カーボンファイバーなど）を添加したり、紙の場合は樹脂含浸等（アクリル樹脂など）を実施してもよい。
【００３５】
本発明のラップフィルム用収納箱自体の材質は特に限定しないが、坪量４００〜７００ｇ／ｍ2程度の一般的なコートボール紙が好ましい。収納箱の強度が上がると切断能力も向上するので、強度的に優れるＦ−フルート、Ｇ−フルート等の薄物段ボールを用いてもよい。収納箱の大きさは、収納するラップフィルム等の幅、巻長及び巻芯の大きさ等により適宜選択できる。ハンドリングの利便性の観点から、長さは１００〜５００ｍｍの範囲が好ましく、高さと奥行きは共に一辺が４１〜５１ｍｍの正方形に近い形状のものが好ましい。
【００３６】
尚、図１の切断刃端部の拡大図の２に示したように、切断刃５の端部を掩蓋片１の端部で覆ってもよい。切断刃５の端部形状は材質シートの流れバラツキによって、意図しない鋭利な形状になる場合もあるため、上記した掩蓋片１の端部で覆うことで、見た目や実際の危険性を回避させることができる。
【００３７】
本発明のラップフィルム用収納箱に非金属製切断刃を具備させる方法としては、公知のコールドグルー法、感圧接着剤法、超音波接着法（高周波シール法）等を適宜選択して用いればよい。いずれの場合も一般的には何らかの接着剤が必要となるが、非金属製切断刃の材質に熱可塑性樹脂を用いて超音波接着を行う場合は、超音波ホーン先端部を一般的な３ｍｍ幅の１本筋状から約１ｍｍ幅の２本筋状（超音波ホーン先端部全体の幅自体は従来品と同じ３ｍｍ）、又は超音波ホーン先端部の長さ方向に適宜溝部を付与して超音波ホーン先端部の面積を従来の１／２〜２／３程度に変更すると、超音波出力が集中して切断刃の材質の表面の一部を確実に溶解させることができるので、糊剤やラミネート材等を用いなくても切断刃５を収納箱の所定位置に接着させることが可能であり、経済的である。
【実施例】
【００３８】
以下、本発明を実施例に基づいて説明する。
【００３９】
（実施例１）
図１に示したような、長手方向が３１５ｍｍ、高さと奥行きが４４ｍｍである坪量４５０ｇ／ｍ2のコートボール製の収納箱に、切断刃の中央部と両端部合計の長手方向長さが切断刃全長の各々４０％と３０％であり、中央部と中間部の高低差と、端部と中間部の高低差が共に収納箱高さの７％である切断刃を掩蓋片先端部の裏面に取り付けた。切断刃の材質には、厚み０．２５ｍｍ、曲げこわさ０．６Ｎ・ｃｍの二軸延伸ポリ乳酸樹脂を使用し、切断刃中央部の最も底面側に突出した刃先の高さを１．２ｍｍ、その両隣の刃山間ピッチを２．５ｍｍとして、この刃山の両隣の５個の刃山の高さとピッチを順次小さく設定して６個目以降から端部までの刃山の高さが０．７ｍｍ、ピッチが１．５ｍｍであり、全ての刃先角度が５０°となるものを作成した。
【００４０】
（実施例２）
切断刃両端部の２０山について、端部に近づくほど刃山の高さとピッチを大きくし、最端部の刃山高さが１．２ｍｍ、ピッチが２．５ｍｍとした以外は、実施例１と同様な収納箱を作成した。
【００４１】
（比較例１〜５）
実施例１の切断刃形状を、図２（ａ）に示す直線型にした（比較例１）、図２（ｂ）に示す端部と中央の高低差が３５％のＶ字型にした（比較例２）、図２（ｃ）に示す端部と中央の高低差が３５％の逆Ｖ字型にした（比較例３）、図２（ｄ）に示す中央部と端部の高低差が１８％であり、両端部合計の長手方向長さが切断部全長の３５％であるアーチ型にした（比較例４）、図２（ｅ）に示す中央部と端部の高低差が１８％で、中央部の長手方向長さが切断刃全長の２０％である一部をＶ字型（比較例５）とした以外は実施例１と同様な収納箱を作成した。
【００４２】
（評価）
上記した実施例１〜２、比較例１〜５の収納箱を用い、１０人のモニターで前記（１）〜（３）の切断方法でラップフィルムの切断を各々２０回ずつ実施させ、以下の基準で切断性能の官能評価を実施し、その平均点で各実施例、比較例の収納箱の性能を評価した。尚、この実施例と比較例で使用するラップフィルムには、３０７ｍｍ（長さ）×３７ｍｍ（外径）の紙製巻芯に２０ｍ巻回された３００ｍｍ（幅）のポリ塩化ビニリデン製フィルム（厚み約１０．８μｍ）を使用した。
５点：大きな抵抗を感じることなくラップフィルムの切断ができた
４点：小さな抵抗は感じたが、ほとんど問題なくラップフィルムの切断ができた
３点：切断時に抵抗を感じたが、使用できるレベルではある
２点：切断時に抵抗を感じ、かなり使用し難かった
１点：切断時の抵抗で切断が止まってしまう場合があった
【００４３】
【表１】
2010247873.tif 000003
表１に示したように、本発明のラップフィルム用収納箱である実施例１と２の収納箱では、どのような切断方法でも一定以上の評価を得ることができるが、従来のラップフィルム用収納箱である比較例１〜５の収納箱では、得意な切断方法と不得意な切断方法に分かれ、全ての切断方法に対応しているとは言えないことが判る。
【産業上の利用可能性】
【００４４】
本発明のラップフィルム用収納箱は、食品包装用のラップフィルム等を巻回した巻筒体の収納箱の分野で好適に利用できる。
【符号の説明】
【００４５】
１  掩蓋片
２  掩蓋片の端部覆い部
３  蓋面側
４  底面側
５  切断刃
６  各刃先の先端部を繋げた仮想ライン
【図１】
2010247873.tif 000004
【図２】
2010247873.tif 000005